(57)【要約】【課題】モバイル装置の操作音の出力による、操作を行ったユーザ以外の他の同乗者に与える不快感を軽減する「車載システム」を提供する。【解決手段】ユーザによって、左後席用タッチパネルディスプレイユニット１３のタッチパネルに対してモバイル装置を制御する操作が行われると、制御装置１７は、操作元タッチパネルディスプレイユニットとして左後席用タッチパネルディスプレイユニット１３を記憶すると共に、モバイル装置をリモート操作する制御信号を送信する。制御信号を受信したモバイル装置は、フィードバックとして操作音を制御装置１７に転送し、操作音を受け取った制御装置１７は、操作元タッチパネルディスプレイユニットとして記憶してある左後席用タッチパネルディスプレイユニット１３に対応するスピーカであるリア左スピーカ１６のみから操作音を出力する。【選択図】図２
2019018771.tif 000002
【特許請求の範囲】
【請求項１】
モバイル装置を接続可能な車載システムであって、
複数のディスプレイと
複数の音声出力装置と、
前記モバイル装置が接続されているときに、前記ディスプレイに表示された画面に対するユーザ操作に応じて、前記モバイル装置を遠隔操作すると共に、表示している画面に対して前記ユーザ操作が行われたディスプレイに予め対応づけられた値を操作元識別子として記憶する制御手段と、
当該遠隔操作のフィードバックとして前記モバイル装置から転送された操作音を、前記複数の音声出力装置のうちの、記憶されている前記操作元識別子の値に応じて定まる一部の前記音声出力装置のみから出力する操作音出力制御手段とを有することを特徴とする車載システム。
【請求項２】
請求項１記載の車載システムであって、
前記複数のディスプレイは、各々、視認に適した座席が異なるように配置されており、
前記操作元識別子の値に応じて定まる音声出力装置は、前記複数の音声出力装置のうちの、当該操作元識別子の値が対応づけられたディスプレイの視認に適した座席の近くに配置されている音声出力装置であることを特徴とする車載システム。
【請求項３】
請求項１または２記載の車載システムであって、
前記複数の音声出力装置の各々は、スピーカまたはヘッドフォンであることを特徴とする車載システム。
【請求項４】
請求項１記載の車載システムであって、
前記複数のディスプレイとして、前席の前方に配置された第１のディスプレイと、後席の前方の前記第１のディスプレイよりも後方の位置に配置された第２のディスプレイを備え、
前記複数の音声出力装置として、前席側に配置された第１のスピーカと後席側に配置された第２のスピーカとを備え、
前記操作元識別子の値に応じて定まる音声出力装置は、
当該操作元識別子の値が対応づけられたディスプレイが前記第１のディスプレイである場合には、前記第１スピーカであり、
当該操作元識別子の値が対応づけられたディスプレイが前記第２のディスプレイである場合には、前記第２スピーカであることを特徴とする車載システム。
【請求項５】
請求項１、２、３または４記載の車載システムであって、
前記ディスプレイ毎に対応して、対応するディスプレイの表示面に重ねた形態で設けられたタッチパネルを有し、
前記制御手段は、前記ディスプレイに表示された画面に対するユーザ操作を、当該ディスプレイに対応する前記タッチパネルの操作によって受け付けることを特徴とする車載システム。
【請求項６】
モバイル装置を接続可能な車載システムであって、
固定設置された複数の入力装置と
複数の音声出力装置と、
前記モバイル装置が接続されているときに、前記入力装置に対するユーザ操作に応じて、前記モバイル装置を遠隔操作すると共に、前記ユーザ操作が行われた入力装置に予め対応づけられた値を操作元識別子として記憶する制御手段と、
当該遠隔操作のフィードバックとして前記モバイル装置から転送された操作音を、前記複数の音声出力装置のうちの、記憶されている前記操作元識別子の値に応じて定まる一部の前記音声出力装置のみから出力する操作音出力制御手段とを有することを特徴とする車載システム。
【請求項７】
請求項６記載の車載システムであって、
前記複数の入力装置は、各々、当該入力装置の近くにある座席が異なるように配置されており、
前記操作元識別子の値に応じて定まる音声出力装置は、前記複数の音声出力装置のうちの、当該操作元識別子の値が対応づけられた入力装置の近くにある座席の近くに配置されている音声出力装置であることを特徴とする車載システム。
【発明の詳細な説明】
【技術分野】
【０００１】
本発明は、車載システムにおいて、ユーザの操作に対するフィードバックとして操作音を出力する技術に関するものである。
【背景技術】
【０００２】
ユーザの操作に対するフィードバックとして操作音を出力する技術としては、車載システムにおいて、自動車の走行状態に応じて異なる操作音を出力する技術（たとえば、特許文献１）や、車載システムにおいて、操作されたアプリケーションに応じて異なる操作音を出力する技術（たとえば、特許文献２）が知られている。
【０００３】
また、モバイル装置で実行中のアプリケーションの出力画面や出力音声をモバイル装置から、当該モバイル装置と接続した車載システムに転送して車載システムの表示装置やスピーカから出力すると共に、車載システムの入力装置で受け付けた操作に応じてモバイル装置を、車載システムから遠隔操作する技術も知られている（たとえば、特許文献３）。
【先行技術文献】
【特許文献】
【０００４】
【特許文献１】特開２０１６-１７９７２３号公報
【特許文献２】特開２０１５-２０６４０号公報
【特許文献３】特開２０１３-１９１９７９号公報
【発明の概要】
【発明が解決しようとする課題】
【０００５】
車載システムにおいて、車載システムから当該車載システムに接続されたモバイル装置を、遠隔操作する際に、当該遠隔操作のフィードバックとしてモバイル装置から操作音が車載システムに転送される場合がある。そして、この場合において、モバイル装置から転送された操作音を車載システムのスピーカから出力すると次のような問題が生じる。
【０００６】
すなわち、自動車に複数の搭乗者がいる場合、操作を行ったユーザ以外の他の同乗者にとっては操作音は無意味であるため、当該操作音のスピーカからの出力によって他の同乗者に不快感を与えてしまう。
【０００７】
そこで、本発明は、車載システムにおいて、接続されたモバイル装置から転送された操作音の出力によって、操作を行ったユーザ以外の他の同乗者に不快感を与えてしまうことを軽減することを課題とする。
【課題を解決するための手段】
【０００８】
前記課題達成のために、本発明は、モバイル装置を接続可能な車載システムに、複数のディスプレイと複数の音声出力装置と、前記モバイル装置が接続されているときに、前記ディスプレイに表示された画面に対するユーザ操作に応じて、前記モバイル装置を遠隔操作すると共に、表示している画面に対して前記ユーザ操作が行われたディスプレイに予め対応づけられた値を操作元識別子として記憶する制御手段と、当該遠隔操作のフィードバックとして前記モバイル装置から転送された操作音を、前記複数の音声出力装置のうちの、記憶されている前記操作元識別子の値に応じて定まる一部の前記音声出力装置のみから出力する操作音出力制御手段とを設けたものである。
【０００９】
ここで、このような車載システムは、前記複数のディスプレイを、各々、視認に適した座席が異なるように配置し、前記操作元識別子の値に応じて定まる音声出力装置を、前記複数の音声出力装置のうちの、当該操作元識別子の値が対応づけられたディスプレイの視認に適した座席の近くに配置されている音声出力装置としてもよい。
【００１０】
また、このような車載システムにおいて、前記複数の音声出力装置の各々は、スピーカまたはヘッドフォンであってよい。
また、このような車載システムに、前記複数のディスプレイとして、前席の前方に配置された第１のディスプレイと、後席の前方の前記第１のディスプレイよりも後方の位置に配置された第２のディスプレイを設け、前記複数の音声出力装置として、前席側に配置された第１のスピーカと後席側に配置された第２のスピーカとを設けると共に、前記操作元識別子の値に応じて定まる音声出力装置を、当該操作元識別子の値が対応づけられたディスプレイが前記第１のディスプレイである場合には、前記第１スピーカとし、当該操作元識別子の値が対応づけられたディスプレイが前記第２のディスプレイである場合には、前記第２スピーカとしてもよい。
【００１１】
また、以上の車載システムは、当該車載システムに、前記ディスプレイ毎に対応して、対応するディスプレイの表示面に重ねた形態で設けられたタッチパネルを設けると共に、前記制御手段において、前記ディスプレイに表示された画面に対するユーザ操作を、当該ディスプレイに対応する前記タッチパネルの操作によって受け付けるように構成してもよい。
【００１２】
また、前記課題達成のために、本発明は、モバイル装置を接続可能な車載システムに、固定設置された複数の入力装置と複数の音声出力装置と、前記モバイル装置が接続されているときに、前記入力装置に対するユーザ操作に応じて、前記モバイル装置を遠隔操作すると共に、前記ユーザ操作が行われた入力装置に予め対応づけられた値を操作元識別子として記憶する制御手段と、当該遠隔操作のフィードバックとして前記モバイル装置から転送された操作音を、前記複数の音声出力装置のうちの、記憶されている前記操作元識別子の値に応じて定まる一部の前記音声出力装置のみから出力する操作音出力制御手段とを備えたものである。
【００１３】
ここで、このような車載システムは、前記複数の入力装置を、各々、当該入力装置の近くにある座席が異なるように配置し、前記操作元識別子の値に応じて定まる音声出力装置を、前記複数の音声出力装置のうちの、当該操作元識別子の値が対応づけられた入力装置の近くにある座席の近くに配置されている音声出力装置としてもよい。
【００１４】
これらの車載システムによれば、車載システムを介してモバイル装置の操作を行ったユーザの近くにある音声出力装置のみから、当該操作の応答として前記モバイル装置から転送された操作音を出力することができる。よって、モバイル装置から転送された操作音の出力によって、操作を行ったユーザ以外の他の同乗者に不快感を与えてしまうことを軽減することができる。
【発明の効果】
【００１５】
以上のように、本発明によれば、車載システムにおいて、接続されたモバイル装置から転送された操作音の出力によって、操作を行ったユーザ以外の他の同乗者に不快感を与えてしまうことを軽減することができる。
【図面の簡単な説明】
【００１６】
【図１】本発明の実施形態に係る車載システムの構成を示すブロック図である。
【図２】本発明の実施形態に係る車載システムの配置を示す図である。
【図３】本発明の実施形態に係るリモート操作処理を示すフローチャートである。
【図４】本発明の実施形態に係るリモート操作処理の処理例を示すシーケンス図である。
【図５】本発明の実施形態に係る車載システムの他の構成例を示す図である。
【発明を実施するための形態】
【００１７】
以下、本発明の実施形態について説明する。
図１に、本実施形態に係る車載システムの構成を示す。
車載システムは自動車に搭載されるシステムであり、図示するように、フロントタッチパネルディスプレイユニット１１、右後席用タッチパネルディスプレイユニット１２、左後席用タッチパネルディスプレイユニット１３、フロントスピーカ１４、リア右スピーカ１５、リア左スピーカ１６、制御装置１７、記憶装置やディスクドライブや放送受信装置やＧＰＳ受信器などの周辺装置１８を備えている。
【００１８】
ここで、フロントタッチパネルディスプレイユニット１１、右後席用タッチパネルディスプレイユニット１２、左後席用タッチパネルディスプレイユニット１３は、ディスプレイとタッチパネルとを一体化した装置である。
【００１９】
そして、図２ａ、ｂに示すように、フロントタッチパネルディスプレイユニット１１はフロントシート前方の左右方向について中央の位置においてダッシュボード内に設置され、右後席用タッチパネルディスプレイユニット１２は右フロントシートの後ろに設置され、左後席用タッチパネルディスプレイユニット１３は左フロントシートの後ろに設置されている。
【００２０】
また、図２ａ、ｂに示すように、フロントスピーカ１４は、前席の搭乗者用のスピーカであり、左右のフロントドアなどに設置されており、リア右スピーカ１５とリア左スピーカ１６は、後席の搭乗者用のスピーカであり、リア右スピーカ１５は、右のリアドアなどに設置されており、リア左スピーカ１６は、左のリアドアなどに設置されている。
【００２１】
図１に戻り、車載システム１の制御装置１７は、フロントタッチパネルディスプレイユニット１１、右後席用タッチパネルディスプレイユニット１２、左後席用タッチパネルディスプレイユニット１３のディスプレイへの表示を制御するビデオ出力制御部１７１、フロントタッチパネルディスプレイユニット１１、右後席用タッチパネルディスプレイユニット１２、左後席用タッチパネルディスプレイユニット１３のタッチパネルに対して行われたユーザのタッチ操作の入力を受け付けるタッチ操作入力部１７２、フロントスピーカ１４、リア右スピーカ１５、リア左スピーカ１６へのオーディオ出力を制御するオーディオ出力制御部１７３、周辺装置１８の制御を行う周辺装置制御部１７４、モバイル装置２とUSBやBluetooth（登録商標）やWi-Fi等の通信インタフェースで接続しモバイル装置２と通信を行うモバイル装置インタフェース１７５、以上の各部を制御する制御部１７６、複数のアプリケーション１７７とを備えている。なお、モバイル装置２は、スマートフォンやタブレット装置などの、ユーザによって携帯される装置である。
【００２２】
ここで、各アプリケーション１７７は、制御部１７６を介してビデオ出力制御部１７１の機能を利用して各タッチパネルディスプレイユニットへの表示を行ったり、制御部１７６を介してタッチ操作入力部１７２の機能を利用して各タッチパネルディスプレイユニットに対して行われたタッチ操作を受け付けて所定の処理を行ったり、制御部１７６を介してオーディオ出力制御部１７３の機能を利用して各スピーカに音声を出力したり、制御部１７６を介して周辺装置制御部１７４の機能を利用して各周辺装置１８を使用したりすることができる。
【００２３】
なお、アプリケーション１７７は、たとえば、地図上で道案内を行うナビゲーションアプリケーションや、オーディオコンテンツやビジュアルコンテンツの再生出力を行うＡＶプレイヤアプリケーション等である。
【００２４】
なお、以上の制御装置１７は、ＣＰＵやメモリや周辺回路を備えたコンピュータを用いて構成されるものであってよく、この場合、制御装置１７の各部はＣＰＵがコンピュータプログラムを実行することにより実現されるものであってよい。
【００２５】
さて、制御部１７６は、モバイル装置２がモバイル装置インタフェース１７５に接続されているときに、ユーザの設定に従って、モバイル装置２から転送されたビデオストリームや画面を、ビデオ出力制御部１７１を介して、ユーザから指定されたタッチパネルディスプレイユニットのディスプレイに表示し、モバイル装置２から転送された操作音以外のオーディオストリームをユーザから指定されたスピーカに出力する。
【００２６】
また、制御部１７６は、モバイル装置２がモバイル装置インタフェース１７５に接続されているときに、モバイル装置２から転送されたモバイル装置２の遠隔操作受付用の画面、もしくは、制御部１７６において生成したモバイル装置２の遠隔操作受付用の画面を、ビデオ出力制御部１７１を介して、ユーザから指定されたタッチパネルディスプレイユニットのディスプレイに表示し、当該タッチパネルディスプレイユニットのタッチパネルの操作によるモバイル装置２に対するユーザ操作を受け付けてモバイル装置２を制御するリモート操作処理を行う。
【００２７】
図３に、この制御部１７６が行うリモート操作処理の手順を示す。
図示するように制御部１７６は、リモート操作処理において、モバイル装置２の遠隔操作受付用の画面を表示しているタッチパネルディスプレイユニットのタッチパネルに対するタッチ操作によるモバイル装置２に対するユーザ操作の発生を監視する（ステップ３０２）。
【００２８】
そして、モバイル装置２に対するユーザ操作が発生したならば、タッチ操作が行われたタッチパネルディスプレイユニットの識別を、操作元のタッチパネルディスプレイユニットの識別として記憶する（ステップ３０４）。
【００２９】
そして、発生したユーザ操作に応じた制御信号をモバイル装置インタフェース１７５を介してモバイル装置２に送信し、発生したユーザ操作に応じた動作がモバイル装置２において行われるようにモバイル装置２をリモート操作する（ステップ３０６）。
【００３０】
次に、所定のタイムアウト時間（たとえば、0.5秒）のタイムアウト時間を設定したタイマをスタートし（ステップ３０８）、タイマのタイムアウトの発生と（ステップ３１０）、リモート操作に対するモバイル装置２のフィードバックである操作音のモバイル装置２からの転送の発生と（ステップ３１２）とを監視する。
【００３１】
そして、タイムアウトが発生した場合には（ステップ３１０）、ステップ３０２からの処理に戻る。
一方、操作音のモバイル装置２からの転送が発生した場合には（ステップ３１２）、ステップ３０４で記憶した、操作元のタッチパネルディスプレイユニットの識別が示すタッチパネルディスプレイユニットに対応するスピーカのみから転送された操作音を出力する（ステップ３１４）。そして、ステップ３０２からの処理に戻る。
【００３２】
ここで、ステップ３１４では、操作元のタッチパネルディスプレイユニットの識別が示すタッチパネルディスプレイユニットが、
フロントタッチパネルディスプレイユニット１１であれば、フロントタッチパネルディスプレイユニット１に対応するスピーカをフロントスピーカ１４として、フロントスピーカ１４のみから操作音を出力する。また、操作元のタッチパネルディスプレイユニットの識別が示すタッチパネルディスプレイユニットが右後席用タッチパネルディスプレイユニット１２であれば、右後席用タッチパネルディスプレイユニット１２に対応するスピーカをリア右スピーカ１５として、リア右スピーカ１５のみから操作音を出力する。また、操作元のタッチパネルディスプレイユニットの識別が示すタッチパネルディスプレイユニットが左後席用タッチパネルディスプレイユニット１３であれば、左後席用タッチパネルディスプレイユニット１３に対応するスピーカをリア左スピーカ１６として、リア左スピーカ１６のみから操作音を出力する。
【００３３】
ただし、操作元のタッチパネルディスプレイユニットの識別が示すタッチパネルディスプレイユニットが、右後席用タッチパネルディスプレイユニット１２や左後席用タッチパネルディスプレイユニット１３である場合には、右後席用タッチパネルディスプレイユニット１２や左後席用タッチパネルディスプレイユニット１３に対応するスピーカをリア右スピーカ１５とリア左スピーカ１６して、リア右スピーカ１５とリア左スピーカ１６のみから操作音を出力するようにしてもよい。
【００３４】
以上、制御部１７６が行うリモート操作処理について説明した。
以下、このようなリモート操作処理の処理例を示す。
ここでは、車載システム１において、制御装置１７に接続されたモバイル装置２の楽曲再生機能を利用する場合を例にとり説明する。
図４に示すように、モバイル装置２の楽曲再生機能が再生中の楽曲１の音を制御装置１７に転送し（４０１）、制御装置１７においてユーザの設定に従って、転送された楽曲１の音をフロントスピーカ１４に出力している（４０２）ときに、ユーザによって、フロントタッチパネルディスプレイユニット１１のタッチパネルに対して、モバイル装置２の再生楽曲のスキップを指示するスキップ操作（４１１）が行われると、フロントタッチパネルディスプレイユニット１１からタッチパネルに対して行われた操作内容を示す操作信号が制御装置１７に出力される（４１２）。操作信号から、スキップ操作の発生を認識した制御装置１７は、操作元タッチパネルディスプレイユニットとしてフロントタッチパネルディスプレイユニット１１を記憶すると共に、モバイル装置２に再生楽曲のスキップを要求する制御信号を送信する（４１３）。
【００３５】
制御信号を受信したモバイル装置２は、フィードバックとして操作音を制御装置１７に転送し（４１４）、操作音を受け取った制御装置１７は、操作元タッチパネルディスプレイユニットとして記憶してあるフロントタッチパネルディスプレイユニット１１に対応するスピーカであるフロントスピーカ１４のみから操作音を出力する（４１５）。なお、楽曲の音と、操作音とは、別個のオーディオストリームとして、モバイル装置２から制御装置１７に転送される。そして、制御装置１７は、楽曲のオーディオストリームの音については、そのままフロントスピーカ１４からの出力を継続しつつ、操作音のオーディオストリームの音をフロントスピーカ１４から出力する。
【００３６】
また、再生楽曲のスキップを要求する制御信号を受信したモバイル装置２は、再生する楽曲を楽曲２に変更し、楽曲２の音の制御装置１７への転送を開始する（４２１）。
そして、これによって、フロントスピーカ１４から出力される楽曲が楽曲２に切り替わる（４２２）。
また、その後、制御装置１７において、モバイル装置２から転送されている楽曲２の音をフロントスピーカ１４に出力しているときに、ユーザによって、左後席用タッチパネルディスプレイユニット１３のタッチパネルに対して、モバイル装置２の再生楽曲のスキップを指示するスキップ操作が行われると（４３１）、左後席用タッチパネルディスプレイユニット１３からタッチパネルに対して行われた操作内容を示す操作信号が制御装置１７に出力される（４３２）。操作信号から、スキップ操作の発生を認識した制御装置１７は、操作元タッチパネルディスプレイユニットとして左後席用タッチパネルディスプレイユニット１３を記憶すると共に、モバイル装置２に再生楽曲のスキップを要求する制御信号を送信する（４３３）。
【００３７】
制御信号を受信したモバイル装置２は、フィードバックとして操作音を制御装置１７に転送し（４３４）、操作音を受け取った制御装置１７は、操作元タッチパネルディスプレイユニットとして記憶してある左後席用タッチパネルディスプレイユニット１３に対応するスピーカであるリア左スピーカ１６のみから操作音を出力する（４３５）。なお、上述のように、制御装置１７は、楽曲のオーディオストリームの音については、そのままフロントスピーカ１４からの出力を継続しつつ、操作音のオーディオストリームの音をリア左スピーカ１６から出力する。
【００３８】
また、再生楽曲のスキップを要求する制御信号を受信したモバイル装置２は、再生する楽曲を楽曲３に変更し、楽曲３の音の制御装置１７への転送を開始する（４４１）。
そして、これによって、フロントスピーカ１４から出力される楽曲が楽曲３に切り替わる（４４２）。
以上、本発明の実施形態について説明した。
このように、本実施形態によれば、タッチパネルディスプレイユニットを介してモバイル装置２の操作を行ったユーザの近くにあるスピーカのみから、当該操作の応答として前記モバイル装置２から転送された操作音を出力する。よって、モバイル装置２から転送された操作音の出力によって、操作を行ったユーザ以外の他の同乗者に不快感を与えてしまうことを軽減することができる。
【００３９】
ところで、以上の実施形態では、モバイル装置２に対するユーザ操作が行われたタッチパネルディスプレイユニットの識別を、操作元のタッチパネルディスプレイユニットの識別として記憶し、操作音を、操作元のタッチパネルディスプレイユニットの識別が示すタッチパネルディスプレイユニットに対応するスピーカのみから出力したが、これは、モバイル装置２に対するユーザ操作が行われたタッチパネルディスプレイユニット、または、当該タッチパネルディスプレイユニットに対応するスピーカを示す値であれば、任意の値を操作音出力制御情報として、操作元のタッチパネルディスプレイユニットの識別に代えて記憶し、操作音を、操作音出力制御情報が示すタッチパネルディスプレイユニットに対応するスピーカ、または、操作音出力制御情報が示すスピーカのみに出力するようにしてもよい。
【００４０】
ここで、このような操作音出力制御情報としては、モバイル装置２に対するユーザ操作が行われたタッチパネルディスプレイユニットのディスプレイの識別情報、モバイル装置２に対するユーザ操作が行われたタッチパネルディスプレイユニットのタッチパネルの識別情報、モバイル装置２に対するユーザ操作が行われたタッチパネルディスプレイユニットに対応するスピーカの識別情報などを用いることができる。
【００４１】
また、以上の実施形態では、前席用の一つのタッチパネルディスプレイユニットと、後席用の二つのタッチパネルディスプレイユニットを設ける場合について示したが、タッチパネルディスプレイユニットの数や配置は任意としてよい。ただし、タッチパネルディスプレイユニットでモバイル装置２に対するユーザ操作を受け付けたときに、モバイル装置２から転送される操作音を出力するスピーカは、ユーザ操作を受け付けたタッチパネルディスプレイユニットを利用するユーザに近い位置にあるスピーカとする。
【００４２】
また、以上の実施形態では、ディスプレイとタッチパネルを一体化したタッチパネルディスプレイユニットで、ユーザのモバイル装置２に対する操作を受け付ける場合について示したが、ユーザの操作は、車載システム１のリモートコントロール装置など他の入力装置によって受け付けるようにしてもよい。
【００４３】
すなわち、たとえば、図５ａ、ｂに示すように、後席用のディスプレイとして、前後左右方向についてほぼ車室中央の位置において天井から吊り下げられた形態で設置したリアディスプレイ５００を設け、リアディスプレイ５００に表示したモバイル装置２の遠隔操作受付用の画面に対する操作として、ユーザのモバイル装置２に対する操作をリモートコントロール装置５０１で受け付けるようにしてもよい。なお、リアディスプレイ５００に表示したモバイル装置２の遠隔操作受付用の画面に対する操作として、ユーザのモバイル装置２に対する操作を受け付けた場合、当該操作に対するフィードバックとしてモバイル装置２から転送された操作音はリア右スピーカ１５とリア左スピーカ１６から出力するようにする。
【００４４】
また、以上の実施形態は、少なくとも一部のスピーカに代えて、または、スピーカと併用してヘッドフォンを用いるようにしてもよい。すばわち、たとえば、選択的に使用できる右後席ユーザ用のヘッドフォンと、左後席ユーザ用のヘッドフォンを設け、ユーザの選択に応じて、リア右スピーカ１５とリア左スピーカ１６に代えて、右後席ユーザ用のヘッドフォンや左後席ユーザ用のヘッドフォンを、右後席ユーザや左後席ユーザに対するオーディオ出力に用いるようにしてもよい。なお、右後席ユーザ用のヘッドフォンや左後席ユーザ用のヘッドフォンをオーディオ出力に用いているときには、右後席用タッチパネルディスプレイユニット１２のタッチパネルでモバイル装置２に対する操作が行われた場合には、操作音を右後席ユーザ用のヘッドフォンに対して出力し、左後席用タッチパネルディスプレイユニット１３のタッチパネルでモバイル装置２に対する操作が行われた場合には、操作音を左後席ユーザ用のヘッドフォンに出力する。
【符号の説明】
【００４５】
１…車載システム、２…モバイル装置、１１…フロントタッチパネルディスプレイユニット、１２…右後席用タッチパネルディスプレイユニット、１３…左後席用タッチパネルディスプレイユニット、１４…フロントスピーカ、１５…リア右スピーカ、１６…リア左スピーカ、１７…制御装置、１８…周辺装置、１７１…ビデオ出力制御部、１７２…タッチ操作入力部、１７３…オーディオ出力制御部、１７４…周辺装置制御部、１７５…モバイル装置インタフェース、１７６…制御部、１７７…アプリケーション、５００…リアディスプレイ、５０１…リモートコントロール装置。
【図１】
2019018771.tif 000003
【図２】
2019018771.tif 000004
【図３】
2019018771.tif 000005
【図４】
2019018771.tif 000006
【図５】
2019018771.tif 000007